(57)【要約】【課題】原稿搬送中に搬送部を開くことを抑制できる画像形成装置を提供する。【解決手段】画像形成装置は、画像読取部４０と、搬送部２０と、トレイカバー部と、ロック機構１０とを備えている。画像読取部４０は、原稿を読み取る読取台４１を含んでいる。搬送部２０は、読取台４１に対して開閉可能に設けられている。搬送部２０は、トレイ部を含んでいる。トレイ部には、読取台４１に向けて搬送される原稿が載置される。トレイカバー部は、トレイ部に対して開閉可能に設けられている。ロック機構１０は、搬送部２０を閉じた状態において、トレイカバー部を開いた状態のまま搬送部２０を開く動作を規制する。【選択図】図９
2019140493.tif 000002
【特許請求の範囲】
【請求項１】
原稿を読み取る読取台を含む画像読取部と、
前記読取台に向けて搬送される原稿が載置されるトレイ部を含み、前記読取台に対して開閉可能に設けられた搬送部と、
前記トレイ部に対して開閉可能に設けられたトレイカバー部と、
前記搬送部を閉じた状態において、前記トレイカバー部を開いた状態のまま前記搬送部を開く動作を規制するロック機構と、を備える、画像形成装置。
【請求項２】
前記搬送部を開く動作を補助するヒンジ部をさらに備える、請求項１に記載の画像形成装置。
【請求項３】
前記ロック機構は、前記トレイカバー部が閉じた状態において、前記搬送部を開く動作の規制を解除する、請求項１または請求項２に記載の画像形成装置。
【請求項４】
前記ロック機構は、前記トレイカバー部の開閉に伴って回転し前記搬送部に設けられたロックレバー部を含み、
前記ロックレバー部は、前記トレイカバー部が開いた状態において、前記読取台と係合して前記搬送部を開く動作を規制し、
前記ロックレバー部は、前記トレイカバー部が閉じた状態において、前記ロックレバー部と前記読取台との係合が解除される方向に回転し、前記搬送部を開く動作の規制を解除する、請求項１から請求項３のいずれか１項に記載の画像形成装置。
【請求項５】
前記ロックレバー部は、前記ロックレバー部を回転させるように付勢する付勢部をさらに含む、請求項４に記載の画像形成装置。
【請求項６】
前記搬送部を持ち上げる取っ手部をさらに備え、
前記トレイカバー部が開いた状態のまま前記搬送部を持ち上げる際、前記取っ手部は、前記ロックレバー部と前記読取台との係合が解除される方向に前記ロックレバー部を回転させて、前記搬送部を開く動作の規制を解除する、請求項４または請求項５に記載の画像形成装置。
【請求項７】
前記ロック機構は、前記ロックレバー部を回転させる駆動部と、前記トレイカバー部の開閉を検知する開閉検知部と、をさらに含み、
前記駆動部は、前記開閉検知部の検知結果に基づいて制御される、請求項４から請求項６のいずれか１項に記載の画像形成装置。
【請求項８】
前記ロック機構は、前記ロックレバー部を回転させる駆動部と、前記搬送部における原稿の紙詰まりを検知する紙詰まり検知部と、をさらに含み、
前記紙詰まり検知部が紙詰まりを検知した際に、前記ロックレバー部と前記読取台との係合が解除される方向に前記ロックレバー部を回転させるように前記駆動部が制御される、請求項４から請求項７のいずれか１項に記載の画像形成装置。
【請求項９】
前記駆動部は、ソレノイドまたはモーターである、請求項７または請求項８に記載の画像形成装置。
【発明の詳細な説明】
【技術分野】
【０００１】
本発明は、画像形成装置に関する。
【背景技術】
【０００２】
画像読取部に対して開閉可能に取り付けられた原稿搬送部を備える画像形成装置に関する技術が、特開２００５−１４１０３８号公報（特許文献１）に開示されている。
【先行技術文献】
【特許文献】
【０００３】
【特許文献１】特開２００５−１４１０３８号公報
【発明の概要】
【発明が解決しようとする課題】
【０００４】
上記特許文献１に開示される画像形成装置において、原稿搬送中に原稿搬送部を持ち上げると搬送不良および画像不良等が発生する場合がある。
【０００５】
本発明の目的は、原稿搬送中に搬送部を開くことを抑制できる画像形成装置を提供することである。
【課題を解決するための手段】
【０００６】
従来の画像形成装置の構成として、ヒンジ部を介することで画像読取部に対して開閉可能であって、画像読取部に向かって原稿を搬送する搬送部が、画像形成装置の上部に設けられている。上記のような構成において、搬送部を開く操作の負荷が大きくならないように、搬送部が開く方向に搬送部を付勢する付勢機構がヒンジ部には設けられている。
【０００７】
上記のような従来の画像形成装置において、搬送部の上部には原稿を搬送するトレイ部が設けられているが、従来のトレイ部は、外部に露出された状態となっていた。そこで、画像形成装置の外観をより良好にすべく、上記トレイ部に対して開閉可能に構成されたトレイカバー部を新たに備えた画像形成装置が開発された。
【０００８】
上記トレイカバー部を備える画像形成装置においては、トレイカバー部の重量が搬送部の重量に加算されるため、搬送部を開く操作の負荷が大きくなる。搬送部を開く操作の負荷を小さくするため、上記付勢機構の付勢力を大きくする必要がある。
【０００９】
しかし、上記トレイカバー部を備える画像形成装置では、トレイカバー部を開いた状態にしてから原稿をトレイ部にセットするため、搬送部から画像読取部に原稿を搬送する場合、トレイカバー部の重量が搬送部に加算されない。そのため、上記付勢機構の付勢力を大きくすると、原稿搬送中に搬送部が画像読取部から浮き上がり、これに起因して搬送不良や画像不良が発生することを本発明者らは新たに知見した。
【００１０】
そこで本発明者らは、トレイカバー部の重量を考慮して付勢機構の付勢力を大きくした場合であっても、原稿搬送中に搬送部が画像読取部から浮き上がることを抑制し、搬送不良および画像不良を抑制できるようさらに検討を進め、本発明を完成させるに至った。
【００１１】
本開示に係る画像形成装置は、画像読取部と、搬送部と、トレイカバー部と、ロック機構とを備えている。上記画像読取部は、原稿を読み取る読取台を含んでいる。上記搬送部は、上記読取台に対して開閉可能に設けられている。上記搬送部は、トレイ部を含んでいる。上記トレイ部には、上記読取台に向けて搬送される原稿が載置される。上記トレイカバー部は、上記トレイ部に対して開閉可能に設けられている。上記ロック機構は、上記搬送部を閉じた状態において、上記トレイカバー部を開いた状態のまま上記搬送部を開く動作を規制する。
【００１２】
上記画像形成装置は、上記搬送部を開く動作を補助するヒンジ部をさらに備えている。
上記の画像形成装置において、上記ロック機構は、上記トレイカバー部が閉じた状態において、上記搬送部を開く動作の規制を解除する。
【００１３】
上記の画像形成装置において、上記ロック機構は、ロックレバー部を含んでいる。上記ロックレバー部は、上記トレイカバー部の開閉に伴って回転する。上記ロックレバー部は、上記搬送部に設けられている。上記ロックレバー部は、上記トレイカバー部が開いた状態において、上記読取台と係合して上記搬送部を開く動作を規制する。上記ロックレバー部は、上記トレイカバー部が閉じた状態において、上記ロックレバー部と上記読取台との係合が解除される方向に回転して、上記搬送部を開く動作の規制を解除する。
【００１４】
上記の画像形成装置において、上記ロックレバー部は、付勢部をさらに含んでいる。上記付勢部は、上記ロックレバー部を回転させるように付勢している。
【００１５】
上記画像形成装置は、上記搬送部を持ち上げる際に用いられる取っ手部をさらに備えている。上記トレイカバー部が開いた状態のまま上記搬送部を持ち上げる際、上記取っ手部は、上記ロックレバー部と上記読取台との係合が解除される方向に上記ロックレバー部を回転させて、上記搬送部を開く動作の規制を解除する。
【００１６】
上記の画像形成装置において、上記ロック機構は、駆動部と、開閉検知部とをさらに含んでいる。上記開閉検知部は、上記トレイカバー部の開閉を検知する。上記駆動部は、上記ロックレバー部を回転させる。上記駆動部は、上記開閉検知部の検知結果に基づいて制御される。
【００１７】
上記の画像形成装置において、上記ロック機構は、駆動部と、紙詰まり検知部とをさらに含んでいる。上記駆動部は、上記ロックレバー部を回転させる。上記紙詰まり検知部は、上記搬送部における原稿の紙詰まりを検知する。上記紙詰まり検知部が紙詰まりを検知した際に、上記ロックレバー部と上記読取台との係合が解除される方向に上記ロックレバー部を回転させるように上記駆動部が制御される。
【００１８】
上記の画像形成装置において、上記駆動部は、ソレノイドまたはモーターである。これにより、簡易な機構で上記ロック機構を構成することができる。
【発明の効果】
【００１９】
本開示に従えば、原稿搬送中に搬送部を開くことを抑制できる画像形成装置を実現することができる。
【図面の簡単な説明】
【００２０】
【図１】実施の形態１の画像形成装置の概略斜視図である。
【図２】図１に示す搬送部が開いた状態における画像形成装置の概略斜視図である。
【図３】図１に示すトレイカバー部が開いた状態における画像形成装置の概略斜視図である。
【図４】図１に示すＩＶ−ＩＶ線に沿う画像形成装置の概略断面図である。
【図５】図１に示すＶ−Ｖ線に沿う搬送部およびトレイカバー部の概略断面図である。
【図６】図１に示すＶＩ−ＶＩ線に沿う画像形成装置の概略断面図である。
【図７】図６に示す領域ＶＩＩの拡大図である。
【図８】ロックレバー部の概略斜視図である。
【図９】トレイカバー部が開いている状態におけるロック機構を示す概略断面図である。
【図１０】トレイカバー部が閉じている状態におけるロック機構を示す概略断面図である。
【図１１】トレイカバー部が開いた状態のまま取っ手部を持ち上げた際のロック機構を示す概略断面図である。
【図１２】トレイカバー部が開いている状態における実施の形態２のロック機構を示す概略断面図である。
【図１３】トレイカバー部が閉じている状態における実施の形態２のロック機構を示す概略断面図である。
【発明を実施するための形態】
【００２１】
以下、図面に基づいて本発明の実施の形態を説明する。以下の図面において、同一または相当する部分には同一の参照番号を付し、その説明は繰り返さない。
【００２２】
［実施の形態１］
＜画像形成装置１００＞
図１は、実施の形態１の画像形成装置１００の概略斜視図である。図２は、図１に示す搬送部２０が開いた状態における画像形成装置１００の概略斜視図である。図３は、図１に示すトレイカバー部３０が開いた状態における画像形成装置１００の概略斜視図である。図１から図３を参照して、画像形成装置１００について説明する。
【００２３】
画像形成装置１００は、画像読取部４０と、搬送部２０と、トレイカバー部３０とを備えている。画像読取部４０は、原稿（画像が形成された記録媒体）を読み取り、読み取った画像データーを図示しない制御部に送信する。上記画像データを基に、図示しない画像形成部によって、画像が記録媒体に形成される。
【００２４】
画像読取部４０は、読取台４１を含んでいる。読取台４１は、画像読取部４０の最上部に設けられている。読取台４１には、原稿が載置される。読取台４１では、原稿が読み取られる。読取台４１のうち画像を読み込む部分は、たとえばガラスで構成されている。
【００２５】
搬送部２０は、読取台４１に取付けられている。搬送部２０は、読取台４１に対して開閉可能（図２中の白抜き矢印Ａ）に設けられている。搬送部２０は、所定の範囲内において、開閉可能となっている。搬送部２０が閉じた状態において、搬送部２０は、読取台４１を覆っており、読取台４１と対向している。搬送部２０は、読取台４１から上方に向かって開く構成である。
【００２６】
搬送部２０の下部には、マット部２３が設けられている。マット部２３は、搬送部２０が閉じた状態において、読取台４１と対向している。マット部２３は、読取台４１に載置される原稿を押圧する。
【００２７】
搬送部２０は、トレイ部２５を含んでいる。トレイ部２５には、読取台４１に向けて搬送される原稿が載置される。読取台４１に搬送された原稿は、画像読取部４０により読み取られる。
【００２８】
図４は、図１に示すＩＶ−ＩＶ線に沿う画像形成装置１００の概略断面図である。搬送部２０は、排出部２６をさらに含んでいる。トレイ部２５にセットされた原稿は、搬送部２０の内部の搬送経路２７（図４中の黒矢印で示す経路）に沿って搬送され、読取台４１を通過した後、排出部２６に排出される。
【００２９】
図１から図４に示すように、トレイ部２５は、トレイカバー部３０によって覆われている。トレイカバー部３０は、トレイ部２５に対して、図示しないヒンジ等を介して開閉可能（図３中の白抜き矢印Ｂ）に設けられている。トレイカバー部３０は、搬送部２０に取付けられている。原稿を搬送する際は、トレイカバー部３０を開けてトレイ部２５を外部に露出させてから原稿をセットする。
【００３０】
図５は、図１に示すＶ−Ｖ線に沿う搬送部２０およびトレイカバー部３０の概略断面図である。画像形成装置１００は、ヒンジ部５０をさらに備えている。ヒンジ部５０を介して、搬送部２０は読取台４１に対して開閉可能となっている。ヒンジ部５０は、読取台４１の端部に設けられている。
【００３１】
ヒンジ部５０は、図示しないばね等の付勢機構を含んでいる。付勢機構は、搬送部２０を開く方向（図５中の白抜き矢印Ｃ）に搬送部２０を付勢している。オペレーターが搬送部２０を持ち上げる（開く）にあたって、ヒンジ部５０の付勢機構は、オペレーターが搬送部２０を開く動作を補助する。これにより、オペレーターが搬送部２０を開く操作の負荷が小さくなる。
【００３２】
（ロック機構１０）
図６は、図１に示すＶＩ−ＶＩ線に沿う画像形成装置１００の概略断面図である。図７は、図６に示す領域ＶＩＩの拡大図である。画像形成装置１００は、取っ手部６０と、ロック機構１０とをさらに備えている。取っ手部６０は、搬送部２０に設けられている。取っ手部６０は、オペレーターが搬送部２０を持ち上げる際に用いられる。オペレーターは、取っ手部６０に手をかけて搬送部２０を持ち上げる。実施の形態において、取っ手部６０は、取っ手レバーであり、所定の範囲内で上下方向に移動可能な構成である。
【００３３】
ロック機構１０は、オペレーターが搬送部２０を開く動作を規制する。ロック機構１０は、ロックレバー部１２を備えている。ロックレバー部１２は、搬送部２０に設けられている。ロックレバー部１２は、取っ手部６０と係合するように設けられている。
【００３４】
図８は、ロックレバー部１２の概略斜視図である。実施の形態１のロックレバー部１２は、付勢部と、軸部１４と、フック部１９と、カバー開閉連動部１３と、係合部１５とを含んでいる。実施の形態１において、付勢部は、バネ１１である。バネ１１に付勢されることにより、軸部１４を中心としてロックレバー部１２全体が回転可能となるように構成されている。実施の形態１において、ロックレバー部１２は、反時計回りに付勢されている（図８中の白抜き矢印Ｄ）。
【００３５】
軸部１４の径方向の一方にはフック部１９が設けられている。軸部１４の径方向の他方にはカバー開閉連動部１３が設けられている。フック部１９は、先端が鉤状に構成されている。カバー開閉連動部１３は、トレイカバー部３０の開閉に連動して所定の範囲内において軸部１４を中心に回転移動する。フック部１９は、カバー開閉連動部１３の回転移動に連動して軸部１４を中心に回転移動する。
【００３６】
係合部１５は、フック部１９に設けられている。係合部１５は、フック部１９から画像形成装置１００の正面側に向って突出する形状を有している。
【００３７】
図９は、トレイカバー部３０が開いている状態におけるロック機構１０を示す概略断面図である。図１０は、トレイカバー部３０が閉じている状態におけるロック機構１０を示す概略断面図である。図９および図１０を参照して、ロック機構１０について説明する。
【００３８】
図９および図１０において、搬送部２０は閉じている状態であり、搬送部２０は、マット部２３を介して読取台４１と対向している。トレイ部２５に原稿をセットして画像読取部４０に原稿を読み込ませる場合、図９に示すようにトレイカバー部３０を開いた状態のまま、オペレーターが作業を行なう。
【００３９】
トレイカバー部３０が開いた状態において、ロックレバー部１２は、バネ１１の作用により反時計回りに付勢されている（図９中の白抜き矢印Ｅ）。これにより、フック部１９の先端は、読取台４１に形成された穴部４２と係合する。フック部１９と穴部４２とが係合することにより、搬送部２０に設けられたロックレバー部１２が読取台４１から離れる方向へ移動することが規制される。したがって、搬送部２０を開く方向に操作しても、搬送部２０は開くことなく、搬送部２０を開く動作が規制されることになる。
【００４０】
一方で、図１０に示すように、トレイカバー部３０が閉じられると、カバー開閉連動部１３は、トレイカバー部３０に押圧され、バネ１１による付勢力に逆らって軸部１４を中心に時計回りに回転する（図１０中の白抜き矢印Ｆ）。カバー開閉連動部１３の動作に連動して、フック部１９は、フック部１９が穴部４２から離れる方向（フック部１９と穴部４２との係合が解除される方向）に軸部１４を中心として回転する（図１０中の白抜き矢印Ｇ）。これにより、フック部１９と穴部４２との係合が解除される。したがって、搬送部２０を開く動作の規制が解除され、オペレーターは、搬送部２０を開くことができるようになる。
【００４１】
以上のように、ロック機構１０は、トレイカバー部３０の開閉に連動して搬送部２０の開閉規制状態、および上記開閉規制の解除状態を切り替える。
【００４２】
図１１は、トレイカバー部３０が開いた状態のまま取っ手部６０を持ち上げた際のロック機構１０を示す概略断面図である。図９に示すように、トレイカバー部３０が開いている状態では、搬送部２０を開く動作が規制されているが、図１１に示すように、取っ手部６０を握って搬送部２０を持ち上げることで、搬送部２０を開くことが可能な構成となっている。
【００４３】
取っ手部６０を持ち上げる際、係合部１５と取っ手部６０とが係合したまま、取っ手部６０が上方向（図１１中の黒矢印Ｈ）に移動する。取っ手部６０の移動に伴って、係合部１５は、軸部１４を中心に回転移動する。係合部１５の移動に伴って、フック部１９は、穴部４２から離れる方向に回転移動する（図１１中の白抜き矢印Ｉ）。これにより、搬送部２０を開く動作の規制が解除される。したがって、トレイカバー部３０が開いている状態であっても、オペレーターは、搬送部２０を開くことができる。
【００４４】
（作用効果）
図９に示すように、ロック機構１０は、搬送部２０を閉じた状態において、トレイカバー部３０を開いた状態のまま搬送部２０を開く（持ち上げる）動作を規制する。トレイ部２５セットした原稿を読取台４１に搬送して、原稿を読み込ませる場合等において、搬送部２０は閉じた状態であり、トレイカバー部３０は開いた状態である。
【００４５】
この状態において、搬送部２０を開く動作が規制されることにより、原稿搬送中にオペレータが不用意に搬送部２０を開けることを抑制することができる。これにより、搬送経路２７の一部となっている読取台４１（図４）から搬送部２０が離れることを抑制することができる。したがって、搬送経路２７を確保することができ、原稿の搬送不良を抑制することができる。
【００４６】
さらに、搬送部２０を開く動作が規制されることによって、画像読取最中に原稿が読取台４１から離れることによる画像読取部４０の読取不良を抑制することができる。これにより、画像不良を抑制することができる。
【００４７】
図１０に示すように、ロック機構１０は、トレイカバー部３０が閉じた状態において、搬送部２０を開く動作の規制を解除する。これにより、搬送部２０が開く動作の規制を解除する別機構を要しないため、ロック機構１０を簡易な構成とすることができる。
【００４８】
図９および図１０に示すように、ロックレバー部１２は、トレイカバー部３０が開いた状態において、読取台４１と係合して搬送部２０が開く動作を規制する。ロックレバー部１２は、トレイカバー部３０が閉じた状態において、フック部１９と穴部４２との係合が解除される方向に回転して、搬送部２０を開く動作の規制を解除する。ロックレバー部１２は、トレイカバー部３０の開閉に伴って回転する構成である。これにより、簡易な構成で、搬送部２０を開く動作を規制することができる。
【００４９】
さらに、実施の形態１のように、機械的な機構でのみロック機構１０を構成することにより、ロック機構１０を簡易な構成とすることができる。これにより、製造コストを抑制することができる。
【００５０】
図８に示すように、ロック機構１０は、バネ１１をさらに含んでいる。これにより、簡易な構成でロックレバー部１２を回転可能にすることができる。
【００５１】
図１１に示すように、取っ手部６０は、フック部１９と穴部４２との係合が解除される方向（図１１中の白抜き矢印Ｉ方向）に回転させ、搬送部２０を開く動作の規制を解除する。これにより、特別に規制を解除するための操作をしなくても、取っ手部６０を握って持ち上げるだけの簡易な動作で規制を解除することができる。したがって、搬送部２０内の紙詰まり等のトラブルで原稿の搬送が途中で止まった場合であっても、紙詰まりを簡易に処理することができる。
【００５２】
図２および図５に示すように、搬送部２０を開く操作が重たくならないように、搬送部２０が開く方向に搬送部２０を付勢する付勢機構を有するヒンジ部５０が設けられている。従来の画像形成装置においても、ヒンジ部には搬送部を開く方向に付勢するばねが設けられており、ばねは搬送部を開く動作を補助していた。
【００５３】
一方で、トレイカバー部３０を備える実施の形態１の画像形成装置１００においては、トレイカバー部３０の重量が搬送部２０の重量に加算されるため、従来の搬送部と比べて搬送部２０を開く操作が重たくなる。このため、トレイカバー部を備えていない従来の搬送部に負荷される付勢力よりも大きな付勢力を搬送部２０に対して負荷するようにヒンジ部５０の付勢機構が調整されている。
【００５４】
しかし、実施の形態１の画像形成装置１００において、トレイカバー部３０を開いた状態のままで、トレイ部２５にセットされた原稿を搬送する構成であるため、原稿搬送中はトレイカバー部３０の重量が搬送部２０の重量に加算されない。そのため、上記付勢機構の付勢力を大きくすることによる弊害として、原稿搬送中に搬送部２０が読取台４１に対して開くという事態が生じ得る（搬送部２０が読取台４１から浮き上がりやすくなる）。
【００５５】
実施の形態において、ロック機構１０は、原稿搬送中に搬送部２０を開く動作を規制している。これにより、搬送部２０を開く動作を補助するためにヒンジ部５０の付勢機構の付勢力を従来より大きくしても、原稿搬送中に搬送部２０が読取台４１から浮き上がることを抑制することができる。したがって、原稿の搬送不良および画像不良を抑制することができる。
【００５６】
このように、ロック機構１０は、オペレーターが原稿搬送中に不用意に搬送部２０を開く動作を規制するだけでなく、搬送部２０が読取台４１から自然と浮き上がることも規制することができる。
【００５７】
［実施の形態２］
図１２は、トレイカバー部３０が開いている状態における実施の形態２のロック機構１０を示す概略断面図である。図１３は、トレイカバー部３０が閉じている状態における実施の形態２のロック機構１０を示す概略断面図である。図１２および図１３を参照して、実施の形態２のロック機構１０について説明する。
【００５８】
実施の形態２のロック機構１０は、駆動部と、開閉検知部１７とをさらに含んでいる。実施の形態２において、駆動部は、ソレノイド１６である。実施の形態２において、ロックレバー部１２は、リンク部２４、バネ部２２、軸部１４、およびフック部１９を含んでいる。リンク部２４を介してソレノイド１６とロックレバー部１２とが連結されている。バネ部２２は、搬送部２０を覆う搬送カバー部２０ａの内側に取付けられている。バネ部２２は、リンク部２４と連結している。ソレノイド１６の作動により、リンク部２４からロックレバー部１２に力が伝わり、ソレノイド１６は、ロックレバー部１２を回転させる。
【００５９】
開閉検知部１７は、搬送部２０に取付けられている。実施の形態において、開閉検知部１７は、開閉検知センサである。開閉検知センサが発する光が遮断、または光が透過することにより、トレイカバー部３０の開閉を検知する。
【００６０】
図１２に示すように、トレイカバー部３０が開いている場合、開閉検知センサが透過状態となり、トレイカバー部３０が開いていることを開閉検知センサが検知する。この場合において、図示しない制御部は、ソレノイドがＯＮ状態となるようにソレノイドを制御し、ソレノイドは、バネ部２２がリンク部２４を引っ張る力よりも大きな力でリンク部２４をソレノイドの内部に引き込む方向に引っ張る（図１２中の白抜き矢印Ｊ）。リンク部２４がソレノイドの内部に引き込まれることにより、フック部１９が穴部４２と係合する方向（穴部４２に近づく方向）に回転移動し（図１２中の白抜き矢印Ｋ）、実施の形態１と同様に、搬送部２０を開く動作が規制される。
【００６１】
図１３に示すように、トレイカバー部３０が閉じている場合、トレイカバー部３０によって開閉検知センサが遮光状態となり、開閉検知センサはトレイカバー部３０が閉じていることを検知する。この場合において、制御部は、ソレノイドがＯＦＦ状態となるようにソレノイドを制御し、ソレノイドによるリンク部２４を引き込む力は解除される。これにより、バネ部２２はリンク部２４を引っ張り、これに伴ってフック部１９は穴部４２から離れる方向に回転移動する（図１３中の白抜き矢印Ｌ）。したがって、フック部１９と穴部４２との係合が解除され、搬送部２０を開く動作の規制が解除される。
【００６２】
実施の形態２のロック機構１０は、紙詰まり検知部１８をさらに含んでいる。紙詰まり検知部１８は、搬送部２０に取付けられている。紙詰まり検知部１８は、搬送部２０における原稿の紙詰まりを検知する。制御部は、紙詰まり検知部１８が紙詰まりを検知した際に、フック部１９と穴部４２との係合が解除される方向にロックレバー部１２を回転させるようソレノイド１６を制御する。
【００６３】
（作用効果）
ソレノイド１６は、開閉検知部１７の検知結果に基づいて制御される。実施の形態２のロック機構１０においても、実施の形態１と同様に、原稿搬送中にオペレータが不用意に搬送部２０を開けることを抑制することができる。
【００６４】
紙詰まり検知部１８が紙詰まりを検知した際に、フック部１９と穴部４２との係合が解除される方向にフック部１９を回転させるように、ソレノイド１６が制御される。このように、トレイカバー部３０が開いている状態であっても、搬送部２０を開く動作の規制が解除される。これにより、原稿搬送中の紙詰まりやその他のトラブルが発生した場合、オペレータが搬送部２０を開いて搬送部２０内で詰まっている原稿の処理などをすることができる。
【００６５】
駆動部がソレノイド１６であることにより、簡易な機構でロック機構１０を構成することができる。なお、駆動部は、モーターであってもよく、この場合、リンク部２４が必要でなくなるため、より簡易な構成とすることができる。
【００６６】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【００６７】
１０  ロック機構、１１  バネ、１２  ロックレバー部、１３  カバー開閉連動部、１４  軸部、１５  係合部、１６  ソレノイド、１７  開閉検知部、１８  紙詰まり検知部、１９  フック部、２０  搬送部、２０ａ  搬送カバー部、２２  バネ部、２３  マット部、２４  リンク部、２５  トレイ部、２６  排出部、２７  搬送経路、３０  トレイカバー部、４０  画像読取部、４１  読取台、４２  穴部、５０  ヒンジ部、６０  取っ手部、１００  画像形成装置。
【図１】
2019140493.tif 000003
【図２】
2019140493.tif 000004
【図３】
2019140493.tif 000005
【図４】
2019140493.tif 000006
【図５】
2019140493.tif 000007
【図６】
2019140493.tif 000008
【図７】
2019140493.tif 000009
【図８】
2019140493.tif 000010
【図９】
2019140493.tif 000011
【図１０】
2019140493.tif 000012
【図１１】
2019140493.tif 000013
【図１２】
2019140493.tif 000014
【図１３】
2019140493.tif 000015